(57)【要約】【課題】使用者の腰の動きに追従して伸縮し腰回りにフィットして違和感が生じないストレッチレザーベルトを提供する。【解決手段】長尺で帯状のベルト本体１２と、ベルト本体の一端部１２ａに設けられ、他端部１２ｂを差し込んで保持するバックル１３とからなり、伸縮性と柔軟性とを有するストレッチレザーベルト１１であって、ベルト本体は、革の繊維をほぐすように鞣し加工を施した状態の柔軟で伸縮性を備える床革と、床革の表面又は裏面に貼着した発泡ポリウレタン層とを備え、ベルト本体の縁部１２ｃに沿った位置は、伸縮性を備える糸１６で縫着した。【選択図】図１
0003208549.tif 000002
【実用新案登録請求の範囲】
【請求項１】
長尺で帯状のベルト本体と、該ベルト本体の一端部に設けられ他端部を差し込んで保持するバックルとからなり、伸縮性と柔軟性とを有するストレッチレザーベルトであって、
前記ベルト本体は、
革の繊維をほぐすように鞣し加工を施した状態の柔軟で伸縮性を備える床革と、
該床革の表面又は裏面に貼着した発泡ポリウレタン層とを備え、
前記ベルト本体の少なくとも縁部に沿った位置は、伸縮性を備える糸で縫着したこと
を特徴とするストレッチレザーベルト。
【請求項２】
前記伸縮性を備える糸は、テトロン糸であること
を特徴とする請求項１に記載のストレッチレザーベルト。
【考案の詳細な説明】
【技術分野】
【０００１】
本考案は、ストレッチレザーベルトに関するものであり、更に詳しくは、ベルト本体が約８〜１０ｃｍ程度の伸縮が可能であり、伸縮性と柔軟性とを備えたストレッチレザーベルトに関するものである。
【背景技術】
【０００２】
従来の伸縮が可能な皮革のベルトとしては、実用新案登録第３０３３８８９号公報に開示されたゴムベルト付き皮ベルトが知られている（以下、従来例１と称する）。この従来例１のゴムベルト付き皮ベルトは、長尺な皮ベルトとバックルとの間に短手のゴムベルトを連設した構成である（特許文献１参照）。
【０００３】
このような構成の従来例１のゴムベルト付き皮ベルトは、立ったり座ったりしたときなどに、その動きに追従してゴムベルトが伸縮するので、腰回りと皮ベルトとの間に生じる緩みを吸収して、ズボンのズレ下がりを防止する。
【０００４】
また、従来の伸縮が可能な皮革のベルトとして、特開平１１−６１５３７号公報に開示された僅かに伸縮する弾性ベルトが知られている（以下、従来例２と称する）。この従来例２の僅かに伸縮する弾性ベルトは、皮革を僅かに伸縮するようにほぐして作ったベルト表皮で、伸縮性を有する帯状の芯帯を包み込んで接着固定した構成である（特許文献２参照）。
【０００５】
このような構成の従来例２の僅かに伸縮する弾性ベルトは、使用者の動きに追従して弾性ベルトが僅かに伸縮するので、腰回りにフィットする。
【先行技術文献】
【特許文献】
【０００６】
【特許文献１】実用新案登録第３０３３８８９号公報
【特許文献２】特開平１１−６１５３７号公報
【考案の概要】
【考案が解決しようとする課題】
【０００７】
この従来例１のゴムベルト付き皮ベルトにおいては、長尺な皮ベルトは伸縮せずに、短手のゴムベルトだけが伸縮するので、皮ベルトが使用者の腰の動きに追従しない。つまり、皮ベルトが腰回りにフィットせずに違和感が生じるという欠点を有している。
【０００８】
また、従来例２の僅かに伸縮する弾性ベルトにおいては、弾性ベルトが僅かに伸縮するだけなので、使用者の腰の動きにしっかりと追従しにくい。その結果、使用者が動きにくくて、ゆったり感が実感できないという欠点を有している。
【０００９】
従って、従来例１のゴムベルト付き皮ベルトと、従来例２の僅かに伸縮する弾性ベルトとにおいては、使用者の腰の動きにしっかりと追従して腰回りの違和感を無くすことと、使用者が動き易くてゆったり感が実感できることとに解決しなければならない課題を有している。
【課題を解決するための手段】
【００１０】
前記従来例の課題を解決するための本考案の要旨は、長尺で帯状のベルト本体と、該ベルト本体の一端部に設けられ他端部を差し込んで保持するバックルとからなり、伸縮性と柔軟性とを有するストレッチレザーベルトであって、前記ベルト本体は、革の繊維をほぐすように鞣し加工を施した状態の柔軟で伸縮性を備える床革と、該床革の表面又は裏面に貼着した発泡ポリウレタン層とを備え、前記ベルト本体の少なくとも縁部に沿った位置は、伸縮性を備える糸で縫着したことである。
【００１１】
また、前記伸縮性を備える糸は、テトロン糸であること、；
を含むものである。
【考案の効果】
【００１２】
本考案に係るストレッチレザーベルトによれば、ベルト本体が、革の繊維をほぐすように鞣し加工を施した状態の柔軟で伸縮性を備える床革と、床革の表面又は裏面に貼着した発泡ポリウレタン層とを備えることによって、伸縮性と柔軟性とが極めて良好であり、約８〜１０ｃｍ程度の伸縮が可能である。
また、ベルト本体の縁部に沿った位置は、伸縮性を備える糸、例えばテトロン糸で縫着したことにより、糸がベルト本体の伸縮に追従して伸縮できる。
このように、ストレッチレザーベルトが約８〜１０ｃｍ程度伸縮することによって、立ったり座ったりしたときなどに、その腰の動きにしっかり追従して伸縮するので、腰回りにフィットして違和感が生じないだけでなく、動き易くてゆったり感が実感できるという優れた効果を奏する。
【００１３】
伸縮性を備える糸は、テトロン糸であることによって、伸縮性が極めて良好であり、約８〜１０ｃｍ程度の伸縮に追従できるという優れた効果を奏する。
【図面の簡単な説明】
【００１４】
【図１】本考案に係るストレッチレザーベルト１１の正面図である。
【図２】床革１４と発泡ポリウレタン層１５とを備えるベルト本体１２の要部を拡大した断面図である。
【考案を実施するための形態】
【００１５】
次に、本考案の実施の形態について図面を参照しながら説明する。まず、図１において、符号１１はストレッチレザーベルトを示し、このストレッチレザーベルト１１は、長尺で帯状なベルト本体１２と、ベルト本体１２の一端部１２ａに設けられ、他端部１２ｂを差し込んで保持するバックル１３とから構成される。
【００１６】
ベルト本体１２は、図２に示すように、革の繊維をほぐすように鞣し加工を施して柔軟で伸縮性を備える床革１４と、床革１４の表面又は裏面に貼着した発泡ポリウレタン層１５とを備える。
【００１７】
また、ベルト本体１２には、図１に示すように、所定の間隔を開けて複数箇所にピン孔１７が穿設されている。
【００１８】
バックル１３には、図１に示すように、ピン１３ａが設けられており、このピン１３ａを適宜な位置のピン孔１７に差し入れて、ストレッチレザーベルト１１をウエストサイズに合わせた所望の位置に保持する。
【００１９】
床革１４は、例えば牛革の表皮を除いた下部の部位を用いて鞣したものであり、一般に用いられるクロム鞣し剤（塩基性硫酸塩）に換えて、特殊なケミカル鞣し剤を使用して、繊維をほぐして伸縮するように加工したものである。これによって安定した伸縮性を備える床革１４が形成される。
【００２０】
発泡ポリウレタン層１５は、ウレタン系の合成樹脂に発泡剤を加えて形成している。特に、ポリウレタンに発泡剤を加えたものであって、伸縮性に優れた発泡ポリウレタン層１５が形成される。
【００２１】
また、ベルト本体１２の縁部１２ｃに沿った位置は、伸縮性を備える糸１６で縫着してある。伸縮性を備える糸１６は、例えばテトロン糸が望ましい。このように、ベルト本体１２の縁部１２ｃの縫着に伸縮性を備える糸（テトロン糸）１６を用いることによって、糸１６がベルト本体１２の伸縮に追従して伸縮できる。
【００２２】
以上のように構成されるストレッチレザーベルト１１は、ベルト本体１２が革の繊維をほぐすように鞣し加工を施して柔軟で伸縮性を備える床革１４と、床革１４の表面又は裏面に貼着した発泡ポリウレタン層１５とを備えることによって、伸縮性と柔軟性とが極めて良好であり、約８〜１０ｃｍ程度の伸縮が可能である。
【００２３】
このように、ストレッチレザーベルト１１が約８〜１０ｃｍ程度伸縮することによって、立ったり座ったりしたときなどに、その腰の動きにしっかり追従して伸縮する。従って、腰回りにフィットして違和感が生じないだけでなく、動き易くてゆったりした感じが実感できる。
【００２４】
特に近年は、ストレッチパンツが様々なメーカーから発売されているが、ストレッチレザーベルト１１が伸縮することで、ストレッチパンツが腰回りによりフィットして着用感が楽になる。そして、立ったり座ったりするときに、腰回りに違和感が感じられなくなり、とても動き易くてゆったりした感じが実感できることとなる。
【符号の説明】
【００２５】
１１  ストレッチレザーベルト
１２  ベルト本体
１２ａ一端部
１２ｂ他端部
１２ｃ縁部
１３  バックル
１３ａピン
１４  床革
１５  発泡ポリウレタン層
１６  伸縮性を備える糸（テトロン糸）
１７  ピン孔
【図１】
0003208549.tif 000003
【図２】
0003208549.tif 000004